(57)【要約】【課題】  余計な構成員情報の社外への流出を防ぐとともに、申し込む意思がない人に対する余分な申込書等の作成をせずに、これにかかる各種コストを削減することができる申込者募集システムを提供することである。【解決手段】  構成員情報提供許容手段によって構成員情報の提供が容認された構成員の構成員情報を、構成員情報記憶手段から読み出し、この読み出した構成員情報を募集会社に提供する構成員情報提供手段を備え、申込手段によって申し込みを行った構成員に対してのみ申込書類を作成する申込書類作成手段を備えた。【選択図】  図１
2005135069.tif 000002
【特許請求の範囲】
【請求項１】
コンピュータを用いて、複数の人員から構成されるグループの前記各構成員に対して、申込対象物の申し込みを募集会社が募集する申込者募集システムであって、
前記グループ内で、該グループの各構成員の構成員情報を記憶する構成員情報記憶手段と、
前記募集会社からの前記申込対象物の紹介に基づいて、前記グループ内で、該グループの各構成員に対して前記申込対象物の紹介を行う申込対象物紹介手段と、
前記申込対象物紹介手段による紹介を受けた該グループの各構成員のうち、前記申込対象物の申し込みを行う意思がある構成員が、該構成員の構成員情報に基づいた前記申込対象物の詳細情報を取得するために、該構成員の構成員情報の提供を容認する構成員情報提供容認手段と、
前記構成員情報提供許容手段によって構成員情報の提供が容認された構成員の構成員情報を、前記構成員情報記憶手段から読み出し、該読み出した構成員情報を前記募集会社に提供する構成員情報提供手段と、
前記構成員情報提供手段によって提供された構成員情報に基づいた、前記申込対象物の詳細情報を該構成員に提供する申込対象物詳細情報提供手段と、
前記申込対象物詳細情報提供手段によって、前記申込対象物の詳細情報を取得した該構成員が、該申込対象物の申込を行う申込手段と
を備えたことを特徴とする申込者募集システム。
【請求項２】
前記申込手段によって申し込みを行った前記構成員に対してのみ申込書類を作成する申込書類作成手段をさらに備えたことを特徴とする請求項１に記載の申込者募集システム。
【請求項３】
前記申込対象物が保険商品であることを特徴とする請求項１または２に記載の申込者募集システム。
【発明の詳細な説明】
【技術分野】
【０００１】
本発明は申込者募集システムに関し、特に、コンピュータを用いて、所定の事柄に対して申し込みを行う申込者の募集を行う際の、各人に対する申込内容の案内や各人向けの申込用紙等を自動的に出力することができる申込者募集システムに関する。
【背景技術】
【０００２】
たとえば会社の社員のそれぞれが各種の申込をする際に、会社がまとめて斡旋、紹介を行うような場合がある。一例として、生命保険、医療保険といった保険に社員が加入する際には、その社員の会社と保険会社との間の取り決めにて、その社員の保険料を給料から天引きして社員の手間を省いたり、団体扱いにて保険料の割引等を行ったりすることができる。
【０００３】
ところで、このような生命保険等の商品の体系は複雑であり、契約者の年齢や性別等によって保険料が異なったり、契約者の家族構成によって推奨商品や特約等が異なったりなど、契約者の側で保険商品の選択をするのは難しい。
【０００４】
このため、従来から、契約対象者に対して保険商品の設計やアドバイス等を行うことができる保険商品設計担当者が、商品案内パンフレット等を作成して契約対象者に説明したり、個々の契約対象者向けに設計、作成した保険商品の申込書を作成するようにしていた。
【０００５】
また従来から、特許文献１に記載のように、保険商品設計担当者の利便性のため、少ない保険料で適切な保障状態と貯蓄状態とが得られる保険計画を作成できる保険計画算出装置が知られている。
【０００６】
【特許文献１】特開２００２−３３４２１６号公報
【発明の開示】
【発明が解決しようとする課題】
【０００７】
ところで、上述の特許文献１に記載の保険計画算出装置は、保障型の保険と貯蓄型の保険とを組み合わせて保険計画を算出するものであり、個々の契約対象者向けの保険設計を作成する際には活用可能であるが、このような保険設計を行うためには、個々の契約対象者の従業員情報（たとえば名前、性別、生年月日、住所、会社内での所属等の情報）を取得する必要がある。
【０００８】
上述のように、会社の社員のそれぞれがたとえば保険の申込をする際に、会社がまとめて斡旋、紹介を行うような場合では、会社から各社員の従業員情報をまとめて保険会社に提供し、それを受けた保険会社では、たとえば従業員情報を入手したすべての社員（保険に加入する意思のない社員をも含む）についてたとえば加入推奨書類や申込書を作成し、この加入推奨書類等を会社の総務部から各社員に対して配布するようにしていた。
【０００９】
このため、従来の方法では、保険に加入する意思のない社員の従業員情報までも保険会社に提供されてしまっており、このことが、最近ではコンプライアンスの観点から問題視され始めている。
【００１０】
また、従来の方法では、保険に加入する意思のない社員の分まで加入推奨書類や申込書類等を作成していたため、余分な加入推奨書類等の作成にかかる事務作業コスト、印刷コスト等が問題になっていた。
【００１１】
本発明は上記の点にかんがみてなされたもので、余計な従業員情報の社外への流出を防ぐとともに、申し込む意思がない人に対する余分な申込書等の作成をせずに、これにかかる各種コストを削減することができる申込者募集システムを提供することを目的とする。
【課題を解決するための手段】
【００１２】
本発明は上記の目的を達成するために、コンピュータを用いて、複数の人員から構成されるグループの前記各構成員に対して、申込対象物の申し込みを募集会社が募集する申込者募集システムであって、前記グループ内で、該グループの各構成員の構成員情報を記憶する構成員情報記憶手段と、前記募集会社からの前記申込対象物の紹介に基づいて、前記グループ内で、該グループの各構成員に対して前記申込対象物の紹介を行う申込対象物紹介手段と、前記申込対象物紹介手段による紹介を受けた該グループの各構成員のうち、前記申込対象物の申し込みを行う意思がある構成員が、該構成員の構成員情報に基づいた前記申込対象物の詳細情報を取得するために、該構成員の構成員情報の提供を容認する構成員情報提供容認手段と、前記構成員情報提供許容手段によって構成員情報の提供が容認された構成員の構成員情報を、前記構成員情報記憶手段から読み出し、該読み出した構成員情報を前記募集会社に提供する構成員情報提供手段と、前記構成員情報提供手段によって提供された構成員情報に基づいた、前記申込対象物の詳細情報を該構成員に提供する申込対象物詳細情報提供手段と、前記申込対象物詳細情報提供手段によって、前記申込対象物の詳細情報を取得した該構成員が、該申込対象物の申込を行う申込手段とを備えたことを特徴とする。
【００１３】
また本発明は、請求項１に記載の発明において、前記申込手段によって申し込みを行った前記構成員に対してのみ申込書類を作成する申込書類作成手段をさらに備えたことを特徴とする。
【００１４】
また本発明は、請求項１または２に記載の発明において、前記申込対象物が保険商品であることを特徴とする。
【発明の効果】
【００１５】
本発明によれば、余計な従業員情報の社外への流出を防ぐとともに、申し込む意思がない人に対する余分な申込書等の作成をせずに、これにかかる各種コストを削減することができる申込者募集システムを提供することができる。
【００１６】
すなわち、本発明によれば、たとえば保険への加入意思を示した人の従業員情報のみが保険会社に提供されるようにしたので、余計な従業員情報の社外への流出を防ぐことができる。
【００１７】
また本発明によれば、たとえば保険への加入意思を示した人に向けた申込書のみを作成、印刷等することにしたので、申込書等の作成等にかかる各種コストを削減することができる。
【発明を実施するための最良の形態】
【００１８】
以下、本発明による実施の形態について図面を参照して説明する。
【００１９】
図１は、本発明による申込者募集システムの一実施の形態の構成を示すブロック図である。
【００２０】
本実施の形態の申込者募集システムは、ここでは顧客企業と呼ぶ会社の社員（従業員）に対して、保険会社が提供する商品の申込者すなわち加入者の募集をするための申込者募集システムである。
【００２１】
図１に示すように、本実施の形態の申込者募集システムは、顧客企業側においては、たとえば総務部等の取り纏め部署に設けたサーバーコンピュータ１と、顧客企業の各従業員が使用するパソコン２とパソコン３とをネットワーク４で接続して構成される。このネットワーク４によって顧客企業の内部で閉じたいわゆるイントラネットが構成される。ここでは、従業員が使用するパソコンとして、パソコン２およびパソコン３の２台しか示していないが、本発明がこれに限られるものではないことはいうまでもなく、たとえば従業員の数だけパソコンを備え、そのすべてをネットワーク４に接続するようにしてもかまわない。
【００２２】
また、このネットワーク４はネットワーク５に接続され、ネットワーク４に接続された装置（たとえばサーバーコンピュータ１）が、ネットワーク５に接続された外部の装置と通信可能なように構成されている。
【００２３】
一方、保険会社側では、ネットワーク５に接続したパソコン６およびこのパソコン６に接続してパソコン６からの指示で印刷を行うことができるプリンタ７とを備えている。パソコン６はネットワーク５を介して顧客企業のたとえばサーバーコンピュータ１との間でデータの送受信を行うことができる。
【００２４】
なお、本実施の形態の申込者募集システムは、図１のようなネットワーク構成を採用しているが、本発明はこれに限られるものではなく、各ネットワークに接続される装置の数や種類等はその状況に応じて任意に定められる。
【００２５】
図１において、ネットワーク４はたとえばイーサネット（登録商標）やトークンリング等のＬＡＮを用いることができ、またネットワーク５はいわゆるインターネットなどを用いることができ、各ネットワークにおいては通信経路の一部またはすべてが有線であるか無線であるかを問わず、また通信プロトコルも問わず、どのようなネットワークでもかまわない。ネットワーク４や５に接続された各装置のそれぞれには、予めネットワーク上のアドレスが設定されており、各装置はこのアドレスによって識別され、ネットワーク４や５に接続された他の装置との通信を行うことができる。
【００２６】
また、図１では図示していないが、ネットワーク４には、ネットワーク５との通信を行うための通信装置が接続されている。
【００２７】
図２は、図１に示したサーバーコンピュータ１の構成を示すブロック図である。
【００２８】
サーバーコンピュータ１は、図１に示したネットワーク４とのインタフェースであるネットワーク接続手段１４と、サーバーコンピュータ１全体の動作を制御するＣＰＵやＭＰＵなどの制御手段１１と、操作者（たとえば顧客企業の総務部の担当者）がサーバーコンピュータ１に対する操作、指示等を入力したり、サーバーコンピュータ１が操作者に対して様々な情報を表示したり出力する入出力手段１２と、サーバーコンピュータ１の動作に必要なプログラムおよびパラメータやデータベース等を記憶する記憶手段１３とを有して構成される。
【００２９】
入出力手段１２としては、たとえば、入力のためにキーボードやマウス等が用いられ、出力のためにディスプレイ装置等が用いられる。
【００３０】
また、記憶手段１３にはたとえばデータベースの形で、この顧客企業のすべての従業員の従業員情報（たとえば名前、性別、生年月日、住所、会社内での所属等の情報）が記憶してある。これが、グループ（顧客企業）内で、グループの各構成員（従業員）の構成員情報（従業員情報）を記憶する構成員情報記憶手段である。
【００３１】
図３は、図１に示したパソコン２の構成を示すブロック図である。
【００３２】
図１に示したパソコン２および３は、本実施の形態に関わる基本構成は同様であるので、ここでは代表してパソコン２について説明する。
【００３３】
パソコン２は、図１に示したネットワーク４とのインタフェースであるネットワーク接続手段２４と、パソコン２全体の動作を制御するＣＰＵやＭＰＵなどの制御手段２１と、操作者（たとえば顧客企業の従業員）がパソコン２に対する操作、指示等を入力したり、パソコン２が操作者に対して様々な情報を表示したり出力する入出力手段２２と、パソコン２の動作に必要なプログラムおよびパラメータ等を記憶する記憶手段２３とを有して構成される。
【００３４】
入出力手段２２としては、たとえば、入力のためにキーボードやマウス等が用いられ、出力のためにディスプレイ装置等が用いられる。
【００３５】
図４は、図１に示したパソコン６の構成を示すブロック図である。
【００３６】
パソコン６は、図１に示したネットワーク５とのインタフェースであるネットワーク接続手段６４と、パソコン６全体の動作を制御するＣＰＵやＭＰＵなどの制御手段６１と、操作者（たとえば保険会社の担当者）がパソコン６に対する操作、指示等を入力したり、パソコン６が操作者に対して様々な情報を表示したり出力する入出力手段６２と、パソコン６の動作に必要なプログラムおよびパラメータ等を記憶する記憶手段６３と、プリンタ７を接続するためのプリンタインタフェース６５とを有して構成される。
【００３７】
入出力手段６２としては、たとえば、入力のためにキーボードやマウス等が用いられ、出力のためにディスプレイ装置等が用いられる。
【００３８】
次に、本実施の形態の動作について説明する。
【００３９】
本実施の形態の申込者募集システムは、顧客企業の従業員の従業員情報（たとえば名前、性別、生年月日、住所等の情報）をサーバーコンピュータ１の記憶手段１３に記憶しておき、希望があった従業員の従業員情報のみを保険会社に提供することによって、コンプライアンスの観点からの問題点を解決し、また、保険会社側においても、希望があった従業員に対する申込書類等のみを作成することによって、余分な書類作成にかかるコストを低減するものである。
【００４０】
また、本実施の形態は、サーバーコンピュータ１の制御手段１１やパソコン２の制御手段２１やパソコン６の制御手段６１において本実施の形態にかかるソフトウェアプログラムが実行されることによって、各機能が実現される。
【００４１】
図５は、本実施の形態の申込者募集システムの動作のフローチャートを示す図である。
【００４２】
まず、保険会社から保険商品の紹介を受けた顧客企業の総務部の担当者は、たとえば、サーバーコンピュータ１を操作して、その会社のすべての従業員に向けて、その保険商品の紹介および斡旋を行う旨の電子メールを送信する（Ａ−１）。これが、募集会社（保険会社）からの申込対象物（保険商品）の紹介に基づいて、グループ（顧客企業）内で、グループの各構成員（従業員）に対して申込対象物の紹介を行う申込対象物紹介手段である。
【００４３】
なお、このとき、サーバーコンピュータ１がメールサーバーの機能を果たすものであってもよい。この例を図６に示す。
【００４４】
図６は、本実施の形態において、顧客企業の総務部から各従業員に対して送信する電子メールの一例を示す図である。
【００４５】
この電子メールはＨＴＭＬ形式で記述された例であり、メール中の所定個所をクリックすることによって他のＨＴＭＬ文書を表示することができるようなＵＲＬをハイパーリンクで埋め込んだ場合の例である。
【００４６】
各従業員は、この電子メールによって、紹介された保険商品に関して概要を知ることができる。この電子メールをパソコン２の入出力手段２２であるディスプレイ装置によって見て興味を持った従業員は、この電子メールの所定位置（図６においては「保障内容、保険料試算処理はここをクリック！」と示している）をパソコン２の入出力手段２２であるマウスによってクリックする。保険商品の保障内容の詳細を示したり保険料を保険会社が試算するためにはその従業員の従業員情報を保険会社に提供する必要があるため（ただし保険料の試算の段階で必要な従業員情報は性別および生年月日の情報だけで十分なのでこの情報のみを提供するものであってもよい）、このマウスクリックはその従業員が従業員情報の提供を容認したことになる。この点（従業員情報提供の容認）については画面上に明記するようにするのが望ましい。これが、申込対象物紹介手段による紹介を受けたグループの各構成員のうち、申込対象物の申し込みを行う意思がある構成員が、構成員の構成員情報に基づいた申込対象物の詳細情報（保険商品の保障内容の詳細や保険料の保険会社等による試算結果）を取得するために、構成員の構成員情報の提供を容認する構成員情報提供容認手段である。なお、構成員情報提供容認手段は、後述の図８の画面において、申し込みのためのマウスクリックをした時点で初めて、従業員が従業員情報の保険会社への提供を容認したものとし、その後に、顧客企業が従業員情報を保険会社に対して提供するようにしてもよい。
【００４７】
この操作をするとパソコン２の入出力手段２２であるディスプレイ装置には保障内容の詳細や、試算した保険料等が表示される（Ａ−２）。この際、パソコン２とサーバーコンピュータ１とパソコン６とは必要に応じて通信し、従業員情報の送受信や保険商品の詳細情報の送受信を行う。保険商品の詳細情報（保険商品の保障内容の詳細や保険料の保険会社等による試算結果）はサーバーコンピュータ１またはパソコン６に性別や生年月日に対応付けて予め記憶しておくものであってもよいし、サーバーコンピュータ１またはパソコン６で新たに算出（試算）するものであってもよい。通常はサーバーコンピュータ１で保険料の試算をすることもできるが（この場合は保険会社に従業員の性別や生年月日の情報を提供しなくてもよい）、保険商品の保険料の試算が複雑なものである（たとえば複雑な保険設計である）ときには、サーバーコンピュータ１で試算することができず、保険会社のパソコンであるパソコン６で試算を行わなければならない場合もありうるし（この場合はこの時点で保険会社に従業員の性別や生年月日の情報を提供する必要がある）、初めからサーバーコンピュータ１で試算せず、保険会社のパソコンであるパソコン６で試算を行うようにしてもよい。
【００４８】
このとき、パソコン６とパソコン２との間で保険商品の詳細情報の送受信を行うのであれば、これが、構成員情報提供許容手段によって構成員情報の提供が容認された構成員の構成員情報を、構成員情報記憶手段から読み出し、読み出した構成員情報を募集会社に提供する構成員情報提供手段となるし、構成員情報提供手段によって提供された構成員情報に基づいた、申込対象物の詳細情報を構成員に提供する申込対象物詳細情報提供手段となる。
【００４９】
ステップ（Ａ−２）の表示の例を図７に示す。
【００５０】
図７は、本実施の形態において、図６に示した電子メールの所定位置をクリックすることによって遷移する保障内容の詳細や、試算した保険料等を表示する表示内容の一例を示す図である。
【００５１】
本実施の形態では、図７に示すような表示をたとえばパソコン２の入出力手段２２であるディスプレイ装置で行う際に、その従業員の従業員情報をサーバーコンピュータ１の記憶手段１３から読み出し、その従業員情報に応じて保険料の試算等を行う。この処理はサーバーコンピュータ１の制御手段１１で行ってもよいし、パソコン２の制御手段２１で行ってもよい。図７に示すように、パソコン２の入出力手段２２には、サーバーコンピュータ１の記憶手段１３から読み出した従業員情報や、従業員情報に応じて試算した保険料等が表示される。
【００５２】
なお、この処理でたとえばサーバーコンピュータ１の記憶手段１３から従業員情報を取得して表示する際には、その従業員の個人認証を行う必要があるが、その認証は、ユーザＩＤとパスワードなどの従来からよく知られた方法によって予め行っておけばよい。
【００５３】
また、従業員の従業員情報は、図７の左側に示すように、総務部のサーバーコンピュータとは別に設けたデータベースに従業員情報マスタとして記憶しておき、これを必要に応じて読み出すようにしてもよい。
【００５４】
図７に示したような表示内容をパソコン２の入出力手段２２であるディスプレイ装置によって見てその保険の申し込みを決めた従業員は、この電子メールの所定位置（図７においては「保険申し込みはここをクリック！」と示している）をパソコン２の入出力手段２２であるマウスによってクリックする。この操作をするとパソコン２の入出力手段２２であるディスプレイ装置には申し込み内容の再確認のための表示や、その従業員の健康状態の告知を行う画面が表示される。この表示の例を図８に示す。
【００５５】
図８は、本実施の形態において、図７に示した表示内容の所定位置をクリックすることによって遷移する申し込み内容の再確認のための表示や、その従業員の健康状態の告知を行う画面の一例を示す図である。
【００５６】
本実施の形態では、図８に示すような健康状態の告知に関する質問事項等は予めサーバーコンピュータ１の記憶手段１３に記憶しておき、必要に応じて読み出し、それをたとえばパソコン２の入出力手段２２であるディスプレイ装置で表示するようにしている。
【００５７】
従業員は図８の画面にて自信の健康状態について「はい」、「いいえ」のいずれかの入力を行い（Ａ−３）、表示されている申し込み内容で間違いがないことを確認したならば、この画面表示の所定位置（図８においては「以上で申し込みの処理は終了ですのでここをクリックしてください！」と示している）をパソコン２の入出力手段２２であるマウスによってクリックする（Ａ−４）。これが、申込対象物詳細情報提供手段によって、申込対象物の詳細情報を取得した構成員が、申込対象物の申込を行う申込手段である。
【００５８】
このステップ（Ａ−４）の操作をすると、その従業員の従業員情報（たとえば名前、性別、生年月日、住所、会社内での所属等の情報）や、今回申し込む保険の種類や、今回紹介された保険に申し込む意思表示等が、はじめて保険会社のパソコン６に対して送信され、これを受信したパソコン６の制御手段６１では、受信した内容に基づいて、正式な申込書類等を作成し、それをプリンタ７によって印刷する（Ａ−５）。これが、申込手段によって申し込みを行った構成員に対してのみ申込書類を作成する申込書類作成手段である。
【００５９】
ステップ（Ａ−５）において印刷される申込書類の例を図９に示す。
【００６０】
図９は、本実施の形態において、図８に示した画面の所定位置をクリックすることによって、保険会社側で作成される正式な申込書類の一例を示す図である。
【００６１】
図９に示すような申込書類が作成されたならば、保険会社の担当者は、その書類を持って、パソコン２によって申し込みを行った顧客企業の従業員を訪ね、その書類に正式な申し込みであることを示す署名、捺印等をしてもらう。
【００６２】
申込書類に署名、捺印等を得た保険会社の担当者は、その署名、捺印等によって申込処理が完了したものとし、たとえば、保険会社のパソコン６を操作し、プリンタ７によって保険証券を印刷し、この保険証券を申し込みをした契約者宛てに送付を行い、保険の申込処理は終了となる。
【００６３】
なお、上述の実施の形態では、たとえばパソコン２によって従業員が保険の申込を行った（図５のステップ（Ａ−４））その後に正式申込書類を作成し、それに署名、捺印を行うようにしたが、保険会社によっては、ここまで求めずに、正式な契約完了とする場合もある。この点について、以下に説明する。
【００６４】
たとえば、ある保険会社では、書名、捺印までを必要としないものとすることができ、この場合には、たとえば、図５のステップ（Ａ−４）にて、図８に示した画面で申込者が「以上で申し込みの処理は終了ですのでここをクリックしてください！」と示している位置をマウスでクリックした時点で申込が完了したものとみなし、保険会社ではその内容を申込が正式にされた申込書としてたとえばプリンタ７によって印刷して保険該社内に保管するとともに、プリンタ７によって保険証券を印刷し、この保険証券を申し込みをした契約者宛てに送付を行い、保険の申込処理は終了となる。
【００６５】
また、別の方法としては、図５のステップ（Ａ−４）にて、図８に示した画面で申込者が「以上で申し込みの処理は終了ですのでここをクリックしてください！」と示している位置をマウスでクリックした時点で申込が完了したものとみなし、保険会社ではその内容を印刷もせず電子データとしてたとえばパソコン６の記憶手段６３に記憶して保管するとともに、プリンタ７によって保険証券を印刷し、この保険証券を申し込みをした契約者宛てに送付を行い、保険の申込処理は終了となる。
【００６６】
なお、上述の実施の形態の申込者募集システムでは、保険への加入を申し込む申込者を募集する場合を例にして説明したが、本発明はこれに限られるものではなく、一般に、複数の人員（上述の例では従業員）から構成されるグループ（上述の例では顧客企業）において、各構成員の構成員情報をグループでまとめて管理し、募集会社（上述の例では保険会社）から申込対象物（上述の例では保険商品）の紹介を受けたグループが、各構成員に対してその紹介、斡旋をする際にも、適用することができる。
【図面の簡単な説明】
【００６７】
【図１】本発明による申込者募集システムの一実施の形態の構成を示すブロック図である。
【図２】図１に示したサーバーコンピュータ１の構成を示すブロック図である。
【図３】図１に示したパソコン２の構成を示すブロック図である。
【図４】図１に示したパソコン６の構成を示すブロック図である。
【図５】本実施の形態の申込者募集システムの動作のフローチャートを示す図である。
【図６】本実施の形態において、顧客企業の総務部から各従業員に対して送信する電子メールの一例を示す図である。
【図７】本実施の形態において、図６に示した電子メールの所定位置をクリックすることによって遷移する保障内容の詳細や、試算した保険料等を表示する表示内容の一例を示す図である。
【図８】本実施の形態において、図７に示した表示内容の所定位置をクリックすることによって遷移する申し込み内容の再確認のための表示や、その従業員の健康状態の告知を行う画面の一例を示す図である。
【図９】本実施の形態において、図８に示した画面の所定位置をクリックすることによって、保険会社側で作成される正式な申込書類の一例を示す図である。
【符号の説明】
【００６８】
１  サーバーコンピュータ
２  パソコン
３  パソコン
４  ネットワーク
５  ネットワーク
６  パソコン
７  プリンタ
１１  制御手段
１２  入出力手段
１３  記憶手段
１４  ネットワーク接続手段
２１  制御手段
２２  入出力手段
２３  記憶手段
２４  ネットワーク接続手段
６１  制御手段
６２  入出力手段
６３  記憶手段
６４  ネットワーク接続手段
６５  プリンタインタフェース
【図１】
2005135069.tif 000003
【図２】
2005135069.tif 000004
【図３】
2005135069.tif 000005
【図４】
2005135069.tif 000006
【図５】
2005135069.tif 000007
【図６】
2005135069.tif 000008
【図７】
2005135069.tif 000009
【図８】
2005135069.tif 000010
【図９】
2005135069.tif 000011